【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
潤滑剤を像担持体に塗布する塗布手段と、前記塗布手段を像担持体に対して接離する接離手段とを有し、
前記接離手段が、像担持体の駆動トルクを検出するトルク検出手段と、前記トルク検出手段によって検出した前記駆動トルクに基づいて前記接離手段を動作させる制御手段とを有する潤滑剤塗布装置。
【請求項２】
請求項１記載の潤滑剤塗布装置において、
前記塗布手段が、潤滑剤を像担持体に塗布する塗布部材と、像担持体に当接し前記塗布部材によって像担持体に塗布された潤滑剤を像担持体上で均す均し部材とを有することを特徴とする潤滑剤塗布装置。
【請求項３】
請求項１又は２記載の潤滑剤塗布装置において、
潤滑剤が、脂肪酸金属塩であって、脂肪酸金属塩の金属が、亜鉛、鉄、カルシウム、アルミニウム、リチウム、マグネシウム、ストロンチウム、バリウム、セリウム、チタン、ジルコニウム、鉛、マンガン、の中から選択される金属であって、脂肪酸金属塩の脂肪酸が、ラウリル酸、ステアリン酸、パルミチン酸、ミステリン酸、オレイン酸の中から選択される少なくとも一つ以上の脂肪酸であることを特徴とする潤滑剤塗布装置。
【請求項４】
請求項１ないし３の何れか１つに記載の潤滑剤塗布装置を有する画像形成装置。
【請求項５】
請求項４記載の画像形成装置において、像担持体に当接し像担持体をクリーニングするクリーニング部材を有することを特徴とする画像形成装置。
【請求項６】
請求項４又は５記載の画像形成装置において、
像担持体が中間転写体であることを特徴とする画像形成装置。
【請求項７】
請求項４又は５記載の画像形成装置において、
像担持体が感光体であることを特徴とする画像形成装置。
【請求項８】
請求項４ないし７の何れか１つに記載の画像形成装置において、
体積平均粒径と個数平均粒径との比が１．０５〜１．３０の範囲にあるトナーを用いることを特徴とする画像形成装置。
【請求項９】
請求項４ないし８の何れか１つに記載の画像形成装置において、
形状係数ＳＦ−１が１２０〜１８０の範囲にあり、形状係数ＳＦ−２が１２０〜１９０の範囲にあるトナーを用いることを特徴とする画像形成装置。
【請求項１０】
請求項４ないし９の何れか１つに記載の画像形成装置において、
平均円形度が０．９０〜０．９９の範囲にあるトナーを用いることを特徴とする画像形成装置。
【請求項１１】
請求項４ないし１０の何れか１つに記載の画像形成装置を用いて画像形成を行う画像形成方法。
【手続補正２】
【補正対象書類名】明細書
【補正対象項目名】００２０
【補正方法】変更
【補正の内容】
【００２０】
上記目的を達成するため、請求項１記載の発明は、潤滑剤を像担持体に塗布する塗布手段と、前記塗布手段を像担持体に対して接離する接離手段とを有し、前記接離手段が、像担持体の駆動トルクを検出するトルク検出手段と、前記トルク検出手段によって検出した前記駆動トルクに基づいて前記接離手段を動作させる制御手段とを有する潤滑剤塗布装置にある。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】変更
【補正の内容】
【００２４】
請求項４記載の発明は、請求項１ないし３の何れか１つに記載の潤滑剤塗布装置を有する画像形成装置にある。
【手続補正５】
【補正対象書類名】明細書
【補正対象項目名】００２５
【補正方法】変更
【補正の内容】
【００２５】
請求項５記載の発明は、請求項４記載の画像形成装置において、像担持体に当接し像担持体をクリーニングするクリーニング部材を有することを特徴とする。
【手続補正６】
【補正対象書類名】明細書
【補正対象項目名】００２６
【補正方法】変更
【補正の内容】
【００２６】
請求項６記載の発明は、請求項４又は５記載の画像形成装置において、像担持体が中間転写体であることを特徴とする。
【手続補正７】
【補正対象書類名】明細書
【補正対象項目名】００２７
【補正方法】変更
【補正の内容】
【００２７】
請求項７記載の発明は、請求項５又は６記載の画像形成装置において、像担持体が感光体であることを特徴とする。
【手続補正８】
【補正対象書類名】明細書
【補正対象項目名】００２８
【補正方法】変更
【補正の内容】
【００２８】
請求項８記載の発明は、請求項４ないし７の何れか１つに記載の画像形成装置において、体積平均粒径と個数平均粒径との比が１．０５〜１．３０の範囲にあるトナーを用いることを特徴とする。
【手続補正９】
【補正対象書類名】明細書
【補正対象項目名】００２９
【補正方法】変更
【補正の内容】
【００２９】
請求項９記載の発明は、請求項４ないし８の何れか１つに記載の画像形成装置において、形状係数ＳＦ−１が１２０〜１８０の範囲にあり、形状係数ＳＦ−２が１２０〜１９０の範囲にあるトナーを用いることを特徴とする。
【手続補正１０】
【補正対象書類名】明細書
【補正対象項目名】００３０
【補正方法】変更
【補正の内容】
【００３０】
請求項１０記載の発明は、請求項４ないし９の何れか１つに記載の画像形成装置において、平均円形度が０．９０〜０．９９の範囲にあるトナーを用いることを特徴とする。
【手続補正１１】
【補正対象書類名】明細書
【補正対象項目名】００３１
【補正方法】変更
【補正の内容】
【００３１】
請求項１１記載の発明は、請求項４ないし１０の何れか１つに記載の画像形成装置を用いて画像形成を行う画像形成方法にある。
【手続補正１２】
【補正対象書類名】明細書
【補正対象項目名】００３２
【補正方法】変更
【補正の内容】
【００３２】
本発明は、潤滑剤を像担持体に塗布する塗布手段と、前記塗布手段を像担持体に対して接離する接離手段とを有し、前記接離手段が、像担持体の駆動トルクを検出するトルク検出手段と、前記トルク検出手段によって検出した前記駆動トルクに基づいて前記接離手段を動作させる制御手段とを有する潤滑剤塗布装置にあるので、像担持体の駆動トルクに基づいて自動的に必要なときのみ潤滑剤を像担持体に塗布することで潤滑剤を像担持体に過不足なく供給することができるから、像担持体表面の摩擦係数の過剰な低下を防止して像担持体上のトナー像の担持及びトナー像の転写を良好に行なうことができるとともに、像担持体表面の摩擦係数の過剰な上昇を防止して像担持体の保護、経時的に良好なクリーニング、フィルミングの防止を経時的に行い像担持体を高寿命化でき、経時的に良好な画像形成に寄与することができ、また必要な量の潤滑剤のみを消費して潤滑剤の高寿命化及び経済性の向上を行うことができる、ユーザーにとって使用感の高い潤滑剤塗布装置を提供することができる。
【手続補正１３】
【補正対象書類名】明細書
【補正対象項目名】００３３
【補正方法】変更
【補正の内容】
【００３３】
前記塗布手段が、潤滑剤を像担持体に塗布する塗布部材と、像担持体に当接し前記塗布部材によって像担持体に塗布された潤滑剤を像担持体上で均す均し部材とを有することとすれば、塗布部材の劣化を抑制しつつ塗布部材によって像担持体の駆動トルクに基づいて自動的に必要なときのみ潤滑剤を像担持体に塗布することで潤滑剤を像担持体に過不足なく供給し、また均し部材によって、塗布した潤滑剤により像担持体上に皮膜を形成することができるから、像担持体表面の摩擦係数の過剰な低下を防止して像担持体上のトナー像の担持及びトナー像の転写を良好に行なうことができるとともに、像担持体表面の摩擦係数の過剰な上昇をより良好に防止して像担持体の保護、経時的に良好なクリーニング、フィルミングの防止を経時的により良好に行い像担持体をより高寿命化でき、経時的により良好な画像形成に寄与することができ、また必要な量の潤滑剤のみを消費して潤滑剤の高寿命化及び経済性の向上を行うことができる、ユーザーにとって使用感の高い潤滑剤塗布装置を提供することができる。
【手続補正１４】
【補正対象書類名】明細書
【補正対象項目名】００３４
【補正方法】変更
【補正の内容】
【００３４】
潤滑剤が、脂肪酸金属塩であって、脂肪酸金属塩の金属が、亜鉛、鉄、カルシウム、アルミニウム、リチウム、マグネシウム、ストロンチウム、バリウム、セリウム、チタン、ジルコニウム、鉛、マンガン、の中から選択される金属であって、脂肪酸金属塩の脂肪酸が、ラウリル酸、ステアリン酸、パルミチン酸、ミステリン酸、オレイン酸の中から選択される少なくとも一つ以上の脂肪酸であることとすれば、像担持体の駆動トルクに基づいて自動的に必要なときのみ、その目的に適した材質の潤滑剤を像担持体に塗布することで潤滑剤を像担持体に過不足なく供給することができるから、像担持体表面の摩擦係数の過剰な低下をより良好に防止して像担持体上のトナー像の担持及びトナー像の転写をより良好に行なうことができるとともに、像担持体表面の摩擦係数の過剰な上昇をより良好に防止して像担持体の保護、経時的に良好なクリーニング、フィルミングの防止を経時的により良好に行い像担持体を高寿命化でき、経時的により良好な画像形成に寄与することができ、また必要な量の潤滑剤のみを消費して潤滑剤の高寿命化及び経済性の向上を行うことができる、ユーザーにとって使用感の高い潤滑剤塗布装置を提供することができる。
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】変更
【補正の内容】
【００３６】
本発明は、かかる潤滑剤塗布装置を有する画像形成装置にあるので、像担持体の駆動トルクに基づいて自動的に必要なときのみ潤滑剤を像担持体に塗布することで潤滑剤を像担持体に過不足なく供給することができるから、像担持体表面の摩擦係数の過剰な低下を防止して像担持体上のトナー像の担持及びトナー像の転写を良好に行なうことができるとともに、像担持体表面の摩擦係数の過剰な上昇を防止して像担持体の保護、経時的に良好なクリーニング、フィルミングの防止を経時的に行い像担持体を高寿命化でき、経時的に良好な画像形成を行うことができ、また必要な量の潤滑剤のみを消費して潤滑剤の高寿命化及び経済性の向上を行うことができる、ユーザーにとって使用感の高い画像形成装置を提供することができる。
【手続補正１７】
【補正対象書類名】明細書
【補正対象項目名】００３７
【補正方法】変更
【補正の内容】
【００３７】
像担持体に当接し像担持体をクリーニングするクリーニング部材を有することとすれば、像担持体の駆動トルクに基づいて自動的に必要なときのみ潤滑剤を像担持体に塗布することで潤滑剤を像担持体に過不足なく供給することができるから、像担持体表面の摩擦係数の過剰な低下を防止して像担持体上のトナー像の担持及びトナー像の転写を良好に行なうことができるとともに、クリーニング部材が像担持体に当接しているにもかかわらず像担持体表面の摩擦係数の過剰な上昇を防止して像担持体の保護、経時的に良好なクリーニング、フィルミングの防止及びクリーニング部材自体の保護を経時的に行い像担持体を高寿命化でき、経時的に良好な画像形成に寄与することができ、また必要な量の潤滑剤のみを消費して潤滑剤の高寿命化及び経済性の向上を行うことができ、ユーザーにとって使用感が高く、さらに、塗布手段の接離を像担持体の駆動トルクに基づいて行う場合にあっては、同駆動トルクがクリーニング部材が像担持体に当接することによる摩擦力も含んだものとなっているから、かかる摩擦力をも考慮して上述の効果を奏することができる画像形成装置を提供することができる。
【手続補正１８】
【補正対象書類名】明細書
【補正対象項目名】００３８
【補正方法】変更
【補正の内容】
【００３８】
像担持体が中間転写体であることとすれば、中間転写体表面の摩擦係数の過剰な低下を防止して感光体等から転写される中間転写体上のトナー像の担持及びトナー像の転写を良好に行ない細線の虫喰いや中抜け状の転写抜け等を防止することができるとともに、中間転写体表面の摩擦係数の過剰な上昇を防止して中間転写体の保護、経時的に良好なクリーニング、フィルミングの防止を経時的に行い中間転写体を高寿命化でき、経時的に良好な画像形成を行うことができ、また必要な量の潤滑剤のみを消費して潤滑剤の高寿命化及び経済性の向上を行うことができる、ユーザーにとって使用感の高い画像形成装置を提供することができる。
【手続補正１９】
【補正対象書類名】明細書
【補正対象項目名】００３９
【補正方法】変更
【補正の内容】
【００３９】
像担持体が感光体であることとすれば、感光体表面の摩擦係数の過剰な低下を防止して感光体上のトナー像の担持及びトナー像の転写を良好に行ない細線の再現性の低下や濃度低下等を防止することができるとともに、感光体表面の摩擦係数の過剰な上昇を防止して感光体の保護、経時的に良好なクリーニング、フィルミングの防止を経時的に行い感光体を高寿命化でき、経時的に良好な画像形成を行うことができ、また必要な量の潤滑剤のみを消費して潤滑剤の高寿命化及び経済性の向上を行うことができる、ユーザーにとって使用感の高い画像形成装置を提供することができる。
【手続補正２０】
【補正対象書類名】明細書
【補正対象項目名】００４０
【補正方法】変更
【補正の内容】
【００４０】
体積平均粒径と個数平均粒径との比が１．０５〜１．３０の範囲にあるトナーを用いることとすれば、像担持体の駆動トルクに基づいて自動的に必要なときのみ潤滑剤を像担持体に塗布することで潤滑剤を像担持体に過不足なく供給することができるから、像担持体表面の摩擦係数の過剰な低下を防止して像担持体上のトナー像の担持及びトナー像の転写を良好に行なうことができるとともに、像担持体表面の摩擦係数の過剰な上昇を防止して像担持体の保護、経時的に良好なクリーニング、フィルミングの防止を経時的に行い像担持体を高寿命化でき、またトナーの帯電量が均一であることからも形成する画像によらず経時的に地肌かぶりが少なくシャープで良好な画像形成を安定して行うことができ、また必要な量の潤滑剤のみを消費して潤滑剤の高寿命化及び経済性の向上を行うことができる、ユーザーにとって使用感の高い画像形成装置を提供することができる。
【手続補正２１】
【補正対象書類名】明細書
【補正対象項目名】００４１
【補正方法】変更
【補正の内容】
【００４１】
形状係数ＳＦ−１が１２０〜１８０の範囲にあり、形状係数ＳＦ−２が１２０〜１９０の範囲にあるトナーを用いることとすれば、像担持体の駆動トルクに基づいて自動的に必要なときのみ潤滑剤を像担持体に塗布することで潤滑剤を像担持体に過不足なく供給することができるから、像担持体表面の摩擦係数の過剰な低下を防止して像担持体上のトナー像の担持及びトナー像の転写を良好に行なうことができるとともに、像担持体表面の摩擦係数の過剰な上昇を防止して像担持体の保護、経時的に良好なクリーニング、フィルミングの防止を経時的に行い像担持体を高寿命化でき、またトナーの流動性が高いことで転写効率が高く経時的に良好な画像形成を行うことができ、また必要な量の潤滑剤のみを消費して潤滑剤の高寿命化及び経済性の向上を行うことができる、ユーザーにとって使用感の高い画像形成装置を提供することができる。
【手続補正２２】
【補正対象書類名】明細書
【補正対象項目名】００４２
【補正方法】変更
【補正の内容】
【００４２】
平均円形度が０．９０〜０．９９の範囲にあるトナーを用いることとすれば、像担持体の駆動トルクに基づいて自動的に必要なときのみ潤滑剤を像担持体に塗布することで潤滑剤を像担持体に過不足なく供給することができるから、像担持体表面の摩擦係数の過剰な低下を防止して像担持体上のトナー像の担持及びトナー像の転写を良好に行なうことができるとともに、像担持体表面の摩擦係数の過剰な上昇を防止して像担持体の保護、経時的に良好なクリーニング、フィルミングの防止を経時的に行い像担持体を高寿命化でき、またトナーの流動性が高いことで転写効率が高く経時的に良好な画像形成を行うことができ、また必要な量の潤滑剤のみを消費して潤滑剤の高寿命化及び経済性の向上を行うことができる、ユーザーにとって使用感の高い画像形成装置を提供することができる。
【手続補正２３】
【補正対象書類名】明細書
【補正対象項目名】００４３
【補正方法】変更
【補正の内容】
【００４３】
本発明は、かかる画像形成装置を用いて画像形成を行う画像形成方法にあるので、像担持体の駆動トルクに基づいて自動的に必要なときのみ潤滑剤を像担持体に塗布することで潤滑剤を像担持体に過不足なく供給することができるから、像担持体表面の摩擦係数の過剰な低下を防止して像担持体上のトナー像の担持及びトナー像の転写を良好に行なうことができるとともに、像担持体表面の摩擦係数の過剰な上昇を防止して像担持体の保護、経時的に良好なクリーニング、フィルミングの防止を経時的に行い像担持体を高寿命化でき、経時的に良好な画像形成を行うことができ、また必要な量の潤滑剤のみを消費して潤滑剤の高寿命化及び経済性の向上を行うことができる、ユーザーにとって使用感の高い画像形成方法を提供することができる。